(57)【特許請求の範囲】
【請求項１】
中空のロール状に巻いた薄肉のマスカー用のシートを繰り出してその縁部とこれから張り出した部分に沿わせてテープを貼る装置であって、シートのロールの中空部に差し込まれてこのロールを芯周りに回転自在に保持するクランパと、環状のテープを保持してシートの縁部に沿う方向に繰り出させるための回転自在なリールと、繰り出されたシートの縁部にテープを接合した後にこれらのシートとテープとを一体として巻き取る巻取りドラムと、クランパからのシートとリールからのテープとを巻取りドラムへのパスの手前で重合状態に合流させる回転自在なロータとを備え、このロータの周面をシートの縁部が通過する配置とすると共にリールからのテープのパスをロータ周りのシートの表面に設定してなる塗装用マスカーのテープ貼り付け装置において、
クランパからロータへのシートのパスの経路中に、シートの二つ折りをロータ側に向かうものとこれとは分離した二股状のパスに振り分けるガイドを設け、このガイドには分離された側の二つ折りを他方の二つ折りがロータの周面に沿う位置から離れた位置に拘束可能なフックを備えてなる塗装用マスカーのテープ貼り付け装置。
【発明の詳細な説明】
【０００１】
【発明の属する技術分野】
本発明は、たとえば建屋の外装や内装を塗装するときに塗装面以外の部分を覆って塗料が付着しないようにする養生用のシートの縁部にテープを貼り付ける装置に関する。
【０００２】
【従来の技術】
建屋の外装や内装にペンキ等の各種の塗料で塗装を施すとき、塗装面以外に塗料が付着しないように、マスカーを貼り付ける段取りが一般に行われる。
【０００３】
マスカーは、図９に示すように、約２０ｍｍ幅の粘着性のテープ５０を合成樹脂製の薄肉のシート５１の縁部に沿って貼り付けたものをロール５２状に巻いたものである。そして、施工に際しては、塗装面との境界に沿ってテープ５０が走るようにしてテープ５０とシート５１をロールから解き離していき、テープ５０を塗装面に貼り付ける。そして、必要であれば、テープ５０を貼っていない側のシート５１の縁部を粘着テープを利用して建屋の壁面等に貼り付け、これによって塗装面以外に塗料が付着することを防止する。
【０００４】
このようなマスカーは、現場で使用するときに塗装業者自身がシートにテープを貼る作業をしてから図９に示したようにロール状に巻き取ったものを準備しなければならない。この作業はかなりの時間を費やすものとなるほか、シートに対するテープの貼り付け代を一様にして剥離しないようにするには熟練を必要とする。
【０００５】
これに対し、現場でのテープの貼り付けを行なうための貼り付け装置が既に提案されている。これは、ロール状のシートを軸に外挿してこの軸を回転させ、同時にテープをシートの縁に対応するように送り込むことによってこのテープを貼り付けていくというものである。
【０００６】
【発明が解決しようとする課題】
ところが、従来の貼り付け装置ではロールを支持するための軸はその両端が機枠に支持される構成なので、ロールの長さはこの軸よりも短くないと加工できない。このため、シートのサイズに制約を受けることになり、たとえば大きなサイズのシートを多量に使う現場では、多数のシートを貼り合わせることで対応するしかなく、作業負担が大きく施工性も悪いという問題がある。
【０００７】
また、市販のロール状に巻いた薄肉合成樹脂製のシートはその軸方向の長さを短くするために、図１０に示すようにシート５１を二つ折り５１ａ，５１ｂにしたものが多い。このような二つ折り５１ａ，５１ｂのシート５１の場合では、二つの縁部５１ａ−１，５１ｂ−１が軸の一端側に位置するので、テープがこれらの縁部５１ａ−１，５１ｂ−１の両方に被さって二重のシートとして巻き取られるようになり、従来の貼り付け装置では対応できない。
【０００８】
このように、養生用のシートにテープを貼り付ける装置は既に提供されているものの、シートの大きさに制約を受けた二つ折りのシートには要をなさないという問題がある。
【０００９】
本発明において解決すべき課題は、シートのロールの長さに関係なくまた二つ折りのシートであっても簡単にテープを貼り付けることができるテープ貼り付け装置を提供することにある。
【００１０】
【課題を解決するための手段】
本発明は、中空のロール状に巻いた薄肉のマスカー用のシートを繰り出してその縁部とこれから張り出した部分に沿わせてテープを貼る装置であって、シートのロールの中空部に差し込まれてこのロールを芯周りに回転自在に保持するクランパと、環状のテープを保持してシートの縁部に沿う方向に繰り出させるための回転自在なリールと、繰り出されたシートの縁部にテープを接合した後にこれらのシートとテープとを一体として巻き取る巻取りドラムと、クランパからのシートとリールからのテープとを巻取りドラムへのパスの手前で重合状態に合流させる回転自在なロータとを備え、このロータの周面をシートの縁部が通過する配置とすると共にリールからのテープのパスをロータ周りのシートの表面に設定してなる塗装用マスカーのテープ貼り付け装置において、クランパからロータへのシートのパスの経路中に、シートの二つ折りをロータ側に向かうものとこれとは分離した二股状のパスに振り分けるガイドを設け、このガイドには分離された側の二つ折りを他方の二つ折りがロータの周面に沿う位置から離れた位置に拘束可能なフックを備えてなることを特徴とする。
【００１１】
本発明の実施例を図面を参照して説明する。
【００１３】
【実施例】
図１は本発明のテープ貼り付け装置の斜視図、図２は正面図、図３は図２に右側面図である。
【００１４】
図において、脚１ａによって支持されたフレーム１の下端に、図９及び図１０に示したポリシートを巻いたロールを保持するためのクランパ２を設ける。このクランパ２はロールの中空部の中に差し込む一対のクロスバー２ａ，２ｂを図中の矢印方向に回動可能としたものであり、この操作のためのクランプハンドル２ｃをこれらのクロスバー２ａ，２ｂに連接している。このようなクランパ２を備えることによって、ポリシートのロールの中にクロスバー２ａ，２ｂを差し込んでこれらを広げる姿勢にすることでロールを拘束して片持ち支持で固定することができ、ロールの軸線長さに関係なくこれを保持することが可能となる。
【００１５】
フレーム１の上端にはシートにテープを接着した後にこれを巻き取ってテープ接着部分を再びロール状にするための巻取りドラム３を設け、フレーム１の裏面側に配置した回転ハンドル３ａによってこの巻取りドラム３を回転操作する。なお、回転ハンドル３ａの手動操作に代えて、フレーム１に電動機（図示せず）を設けてその出力軸を巻取りドラム３に連結することによって電動式で回転駆動するものとしてもよい。
【００１６】
更に、フレーム２の裏面にはアーム４ａを揺動可能に連接してこのアーム４ａの下端側にテープ用のリール４を回転自在に設ける。アーム４ａはフレーム１との間に介装した引っ張りのコイルスプリング４ｂによって図１に示す矢印方向に付勢されたものであり、リール４はその周面に市販のガムテープ等をきっちりと嵌め込める程度の外形を持つものである。そして、フレーム１の表面側であってリール４の移動方向に対峙する位置にはガイドローラ５を回転自在に設ける。リール４はコイルスプリング４ｂによって付勢されているので、テープを装着していないときには図３に示すようにリール４がガイドローラ５に突き当たった姿勢に保持される。なお、図１ではアーム４ａを矢印と反対方向に持ち上げた姿勢として示している。
【００１７】
ガイドローラ５の下方にはクランパ２に保持されたポリシートのロールからのシートの下流側へのパスの基準位置とするためのポートガイドロッド６を設ける。このポートガイドロッド６は、ポリシートの端部側に或る程度重なる程度の長さを持つものであればよく、ポリシートのロールの全長に及ぶ長さとする必要はない。
【００１８】
また、ガイドローラ５の直ぐ上には、二股状のガイドバー７を設ける。このガイドバー７はフレーム１の前面に直交するパスガイド７ａ部分とその先端からヘヤピン状に曲げたセパレータガイド７ｂ部分とから構成され、セパレータガイド７ｂの先端を外側に曲げてフック７ｃとしている。セパレータガイド７ｂは図２に示すようにその先端のフック７ｃ側がパスガイド７ａ側に偏るように形成されている。
【００１９】
ガイドバー７の直ぐ上には一対のロータ８，９をそれぞれ回転自在に配置する。これらのロータ８，９は、図２に示すように、フレーム１に固定した支軸８ａ，９ａに対して回転自在に連結した回転子８ｂ，９ｂとこれらのそれぞれの先端側に偏った位置に一体に外挿した係合子８ｃ，９ｃとを備えたものである。係合子８ｃ，９ｃは図示の例では歯車状に形成されていて、それぞれの歯が相手の歯と歯との間に差し込まれるようにして回転可能としたものである。
【００２０】
なお、係合子８ｃ，９ｃはポリシートの縁部に襞をよせるためのものであって、歯車状のものに代えて周面に微小な凹凸を持つようなものであればよく、通過するポリシートに皺を発生させるように摩擦抵抗を与えるものとすればよい。
【００２１】
図４は一重のシート２１のロール２２をクランパ２２に保持してテープ３１をシート２１の縁部に貼り付けている状態を示す図である。
【００２２】
ロール２２はその芯を構成している中空部２２ａの中にクランパ２のクロスバー２ａ，２ｂを差し込み、これらのクロスバー２ａ，２ｂを開くようにクランプハンドル２ｃを回転操作することによって保持されている。そして、シート２１は、図３において二点鎖線で示すように、ポートガイドロッド６に引っ掛けた後にロータ９の右周面側に通したせた後に上段配置のロータ８の左周面を経由して巻取りドラム３側に向かうパスとする。なお、巻取りドラム３にはシート２１の先端を引っ掛けてこれを保持するためのクリップ等を設けておき、巻取りドラム３の回転に伴ってその巻回されていくようにする。
【００２３】
一方、テープ３１はコイル状に巻回された市販のガムテープ等を適切な幅にカットしたもので、リール４の外周に嵌合されると共に図３において一点鎖線で示すようにロータ８を巡ってから巻取りドラム３に向かうパスとなるようにする。そして、このテープ３１はロータ８の回転子８ｂ部分を通過させるようにし、図５に示すようにこの回転子８ｂを通過するときにシート２１の縁部の上面にテープ３１の幅方向のほぼ半分が重なり合うようにする。そして、テープ３１は巻取りドラム３に巻き取られるテープ３１貼り付け後にロール状に再び巻回されていくシート２１のロールの外径の変化に関係なくロータ８の回転子８ｂの周面に接触しながらパスするように、リール４，ロータ８及び巻取りドラム３の位置関係を設定しておく。
【００２４】
このようなシート２１及びテープ３１のパスの設定の後、テープ３１の先端を予め巻取りドラム３の周面に接着固定しておけば、回転ハンドル３ａを図４に示す矢印方向に回転させると、テープ３１が回転子８ｂに接触しながら巻取りドラム３側に走行する。このため、テープ３１の走行に伴って回転子８ｂも同じ周速で回転しこれに一体となっている係合子８ｃの歯に係合しているシート２１はロール２２から順次解き放たれていく。したがって、図５に示したように、シート２１の縁部にテープ３１が重なり合った状態で回転子８ｂの周面に沿って走行していくことになり、しかも図３に示すように回転子８ｂを通過するときにはテープ３１もシート２１もそのパスが巻取りドラム３側に曲げられるので、シート２１の上面にテープ３１が貼り付けられることになる。
【００２５】
このようにテープ３１の貼り付けと同時にこのテープ３１及びシート２１が順次巻取りドラム３に巻き取られ、図３に示すようにテープ３１を一体に貼り付けたシート２１がシートロール２３として回収することができる。
【００２６】
また、シート２１がロータ８の周面に絡みながら移動していくときにテープ３１が貼り付けられるが、シート２１はその縁に近い部分が係合子８ｃ，９ｃの歯車部分を通過する。このため、回転子８ｂのテープ３１の進行速度に対して係合子８ｃの回転によるシート２１の送り速度がやや速くなる。したがって、回転子８ｂで重合されるシート２１はその速度差に相当する分多く回転子８ｂに送り込まれ、これによってテープ３１に重合されてヒダを造り、テープ３１を貼り付けた部分との間に皺がよるような襞を造らせることができる。すなわち、テープ３１とシート２１との速度が同じであると、テープ３１を貼り付けたときにシート２１の縁部の全体が緊張するようになり、皺を寄せた場合よりも破れやすくなる傾向にある。これに対し、先のように襞状の皺を寄せるとによってこのような緊張がないテープ３１の貼り付けが得られ、シート２１の破れや強度の低下を防ぐことができる。
【００２７】
図６は図１０に示した二つ折りのシートについてテープ３１を貼り付けるときの状態を示す斜視図、図７はテープ３１及びシートのそれぞれのパスの概要を示す側面図である。
【００２８】
二つ折りのシート２３は図１０に示した二つ折り５１ａ，５１ｂにそれぞれ相当する二つ折り２３ａ，２３ｂを持ち、図６において符号２３ｃで示す折り線をフレーム１に対して反対側に位置させた姿勢としてそのロールをクランパ２に保持させ、ロール状に巻回したときに外周側に位置する一方の二つ折り２３ａの縁部だけにテープ３１を貼り付けるものとする。このような操作のため、図７に示すように、シート２３はポートガイドロッド６を抜けた後に一方の二つ折り２３ａを図４に示したパスと同様にして、ロータ８の回転子８ｂの周面を通過して巻取りドラム３に向かうようにセットする。そして、他方の二つ折り２３ｂは図６に示すようにガイドバー７のセパレータガイド７ｂの外側を巡るパスとして、ロータ８の係合子８ｃ部分を経由して巻取りドラム３に向かうパスとする。
【００２９】
すなわち、セパレータガイド７ｂは一方の二つ折り２３ａを受けているパスガイド７ｂに対して間隔を開けているので、図７に示すように他方の二つ折り２３ｂはポートガイドロッド６部分で二股状に別れる。そして、セパレータガイド７ｂはパスガイド７ａよりも短くてその先端にフック７ｃを設けているので、二つ折り２３ｂの縁部はこのフック７ｃによって拘束され、ロータ８の回転子８ｂ部分は届かないまま巻取りドラム３に巻き取られることになる。
【００３０】
このように二つ折りのシート２３であっても、一方の二つ折り２３ａだけをロータ８の回転子８ｂ周りに通過させることで、図８に示すように、二つ折り２３ａにテープ３１を先の例と同じ要領で貼り付けていくことができ、テープ３１を貼り付ける前の二つ折り状態のロール２４として回収できる。
【００３１】
また、二つ折りのシート２３を巻取り始めるときには、一方の二つ折り２３ａはテープ３１によって引っ張られるようにして巻取りドラム３に巻き取られるのに対し、他方の二つ折り２３ｂ二つ折りに２３ａよりも巻取りドラム３までのパスが長いので、テープ３１によって送りを与えられていて緊張している二つ折り２３ａに対して弛みを生じる。これに対し、テープ３１の縁部を二つ折り２３ｂが接触通過していくようにすれば、テープ３１は図７において時計方向に回転しているので、二つ折り２３ｂにその移動方向と逆向きの抵抗を作用させ、このような抵抗によりこれらの二つ折り２３ａ，２３ｂを分離することによって、他方の二つ折り２３ｂとの間の弛みを解消する操作が可能である。したがって、二つ折りのシート２３であっても、テープ３１を一方の二つ折り２３ａの縁部に沿って良好に貼り付けることができる。
【００３２】
更に、二つ折りのシート２３に対するテープ３１の貼り付けと同時にこのテープ３１の上面の縁部に紙テープを貼る操作も可能である。この紙テープは図１においてフレーム１の上端側に設けた突起状の保持座１ｂを利用して図６に示すように環状の紙テープ４１を回転できるように保持しておき、この紙テープ４１を図８の一点鎖線で示すようにテープ３１の縁部とその外側を覆うように位置合わせする。これにより、巻取りドラム３の回転によって紙テープ４１も順に繰り出されてテープ３１に接合される。
【００３３】
なお、図４の例においても、紙テープ４１はその芯の中に差し通してこれを回転自在に保持するためのピン１ｃをフレーム１に設けることによって、同様にテープ３１の上面に紙テープ４１を貼り付けていくことが可能である。
【００３４】
【発明の効果】
本発明では、巻取りドラムを回転操作するだけで、マスカー用のシートをロール状に巻いたものを連続して送り出しながらテープを縁部に貼り付けた後に再びロール状として回収することができるので、現場でのシートへのテープの貼り付け作業が格段に簡単になり、現場での施工効率が大幅に向上する。
【００３５】
また、一重のシートだけでなく、従来から汎用されている二つ折りのシートについても一方の一つ折りの縁部だけにテープを貼り付けていくことができ、シートの種類によらずテープの貼り付け作業が簡単に行えるほか、一重用の二つ折り用の専用の装置を必要とせず各現場への移動にも支障がない。
【図面の簡単な説明】
【図１】  本発明の塗装用マスカーのテープ貼り付け装置の概要を示す斜視図である。
【図２】  図１の貼り付け装置の正面図である。
【図３】  図２の右側面図である。
【図４】  一重のシートに対するテープの貼り付け状態を示す概略斜視図である。
【図５】  シートのパス位置とこのシートに対するテープの貼り付け位置を示す要部の平面図である。
【図６】  二つ折りのシートに対するテープの貼り付け状態を示す斜視図である。
【図７】  図６の例におけるシートの二つ折り及びテープのパスを示す図である。
【図８】  二つ折りのシートに対するテープの貼り付け位置及びこのテープに対する紙テープの貼り付け位置を示す要部の平面図である。
【図９】  シートに貼り付けたテープによるマスキングを示す概略斜視図である。
【図１０】  二つ折りのシートを示す斜視図である。
【符号の説明】
１  ：フレーム
２  ：クランパ
３  ：巻取りドラム
３ａ：回転ハンドル
４  ：リール
５  ：ガイドロール
６  ：ポートガイドロッド
７  ：ガイドバー
７ａ：パスガイド
７ｂ：セパレータガイド
７ｃ：フック
８  ：ロータ
８ａ：支軸
８ｂ：回転子
８ｃ：係合子
９  ：ロータ
９ａ：支軸
９ｂ：回転子
９ｃ：係合子
２１  ：シート
２２  ：ロール
２３  ：シート
２３ａ：二つ折り
２３ｂ：二つ折り
２３ｃ：折り線
２４  ：ロール
３１  ：テープ
４１  ：紙テープ
【図１】
0003698338.tif 000002
【図２】
0003698338.tif 000003
【図３】
0003698338.tif 000004
【図４】
0003698338.tif 000005
【図５】
0003698338.tif 000006
【図６】
0003698338.tif 000007
【図７】
0003698338.tif 000008
【図８】
0003698338.tif 000009
【図９】
0003698338.tif 000010
【図１０】
0003698338.tif 000011